(57)【要約】  汚れ除去アクセサリ（１７１）は、汚れた領域を処理するために汚れ除去デバイス（１）と協働することを意図し、汚れ除去アクセサリ（１７１）は、汚れ除去デバイス（１）の前面ヘッド、即ち、汚れ除去デバイス（１）の水及び／又は蒸気排出面に取り付けられ、汚れ除去材料（３００）を収容するための、パッド、カートリッジ、透過性の外層を備えるサシェ又はカプセルのような、容器（４００）と、容器（４００）を保持するホルダ（６００）とを含み、それにより、汚れ除去アクセサリ（１７１）は、汚れ除去デバイス（１）によって生成される水及び／又は蒸気（２００）の流れに面することによって汚れ除去デバイス（１）と協働するときに汚れた領域の上に汚れ除去材料を放出するように構成される。
2019535369.tif 000002
【特許請求の範囲】
【請求項１】
汚れた領域を処理するために汚れ除去デバイスと協働することが意図される汚れ除去アクセサリであって、
汚れ除去材料を収容する容器と、
該容器を保持するホルダとを含み、
前記汚れ除去デバイスと協働するときに、前記汚れた領域の上に前記汚れ除去材料を放出するように構成される、
汚れ除去アクセサリ。
【請求項２】
前記ホルダは、少なくとも部分的に前記容器の周りに配置されるフレーム構造を含む、請求項１に記載の汚れ除去アクセサリ。
【請求項３】
当該汚れ除去アクセサリは、汚れを除去するステップの間に第１の位置を取り、前記汚れた領域を濯ぐステップの間に第２の位置を取る、ように構成される、フラップフリップデバイスを定める、請求項１又は２に記載の汚れ除去アクセサリ。
【請求項４】
前記汚れ除去材料を収容する前記容器を配置するための第１の部分と、
貫通穴を含む第２の部分とを含み、
当該汚れ除去アクセサリは、前記汚れを除去するステップの間に第１の位置を取り、前記汚れた領域を濯ぐステップの間に第２の位置を取る、ように構成される、
請求項１又は２に記載の汚れ除去アクセサリ。
【請求項５】
前記フレームは、前記汚れ除去デバイスからの熱を前記汚れた領域に移転するように構成される、請求項４に記載の汚れ除去アクセサリ。
【請求項６】
水回路を開閉するために、前記汚れ除去デバイス内の水流スイッチを起動させる物理的要素を更に含む、請求項４に記載の汚れ除去アクセサリ。
【請求項７】
前記汚れ除去デバイスでの熱の生成をオンにするよう前記汚れ除去デバイスによって検出することができる容量性及び／又は抵抗性要素を更に含む、請求項４に記載の汚れ除去アクセサリ。
【請求項８】
前記容器は、複数の副区画を含み、各副区画は、汚れ除去材料を含む、請求項４乃至７のうちのいずれか１項に記載の汚れ除去アクセサリ。
【請求項９】
当該汚れ除去アクセサリは、前記第１の位置及び前記第２の位置を取るよう回転可能である、請求項４乃至８のうちのいずれか１項に記載の汚れ除去アクセサリ。
【請求項１０】
前記ホルダは、ハンドグリップを含む、請求項１乃至９のうちのいずれか１項に記載の汚れ除去アクセサリ。
【請求項１１】
請求項１乃至１０のうちのいずれか１項に記載の汚れ除去アクセサリと協働する手段を含む、汚れ除去デバイス。
【請求項１２】
前記手段は、以下の構成、即ち、
−  前記汚れ除去材料を溶解するために並びに／或いは汚れが除去された後に前記汚れた領域を濯ぐために前記汚れ除去アクセサリに水を供給するためのタンク、
−  前記容器を通じる水の流れを可能にするよう、前記汚れ除去アクセサリが前記汚れ除去デバイスに連結されていることを検出するセンサ、
−  前記汚れ除去アクセサリを加熱する伝導性／誘導性の熱生成器、並びに
−  ユーザ行為なしに前記熱生成器を自動的にオンにするよう、前記汚れ除去アクセサリの前記容量性及び／又は抵抗性要素との接触を検出するセンサ
のうちのいずれか１つを含む、
請求項１１に記載の汚れ除去デバイス。
【請求項１３】
化学中和剤を収容する液体タンクを更に含む、請求項１１又は１２に記載の汚れ除去デバイス。
【請求項１４】
請求項１乃至１３のうちのいずれか１項に記載の汚れ除去アクセサリ及び汚れ除去デバイスによって衣服の上の汚れを処理する方法であって、
前記汚れ除去アセンブリを前記汚れ除去デバイスに連結するステップと、
前記容器中の前記汚れ除去材料を水で溶解するステップと、
該溶解させられた汚れ除去物質を前記衣服の上の前記汚れた領域に塗布するステップと、
一定の持続時間に亘って前記汚れた領域を加熱するステップとを含む、
方法。
【請求項１５】
濯ぎ位置に達するよう前記汚れ除去アクセサリを位置決めするステップと、
濯ぎのために前記汚れに亘って一定量の水を投与するステップと、
乾燥のために前記汚れを加熱するステップとを更に含む、
請求項１４に記載の方法。
【発明の詳細な説明】
【技術分野】
【０００１】
本発明は、汚れ除去(染み除去)(stain  removal)の分野に関する。
【背景技術】
【０００２】
例えば、ユーザによって衣服の上に塗布される(spread)べき化学薬品で充填されたタンクを含む携帯用スティックアクセサリ(stick  accessory)を使用することのように、化学薬品を介して衣服の汚れを処理することが知られている。
【０００３】
それらの既知の解決策は、ユーザにとって便利でなく、幾つかのリスクを伴う、液体漂白化学薬品で容器を充填する必要をしばしば暗示する。
【発明の概要】
【発明が解決しようとする課題】
【０００４】
上述の問題を回避し或いは軽減する汚れ除去アクセサリを提案することが本発明の目的である。
【課題を解決するための手段】
【０００５】
本発明は独立項によって定義される。従属項は、利な実施形態を定義する。
【０００６】
この目的を達成するために、本発明に従った汚れ除去アクセサリは、
−  汚れ除去材料を収容する容器と、
−  容器を保持するホルダとを含む。
【０００７】
汚れ除去アクセサリは、汚れ除去デバイスと協働するときに汚れた領域の上に汚れ除去材料を放出するように構成される。
【０００８】
この解決策は、便利で効率的な汚れ除去を可能にする。何故ならば、漂白化学薬品は、汚れ除去アクセサリ内に既に含められているからである。換言すれば、ユーザは汚れ除去アクセサリを操作する必要があるだけであり、それは便利で安全である。
【０００９】
本発明は、上述のような汚れ除去アクセサリと協働する手段を含む汚れ除去デバイスにも関する。
【００１０】
本発明は、上述のような汚れ除去アクセサリを使用して、上述のような汚れ除去デバイスによって衣服の上にある汚れを処理する方法にも関する。
【００１１】
本発明の詳細な説明及び他の態様は以下に与えられる。
【００１２】
本発明のこれらの及び他の態様は、以下に記載する（複数の）実施形態から明らかであり、それ（それら）を参照して明らかになるであろう。
【図面の簡単な説明】
【００１３】
【図１Ａ】本発明に従った汚れ除去アクセサリ１７１と協働する汚れ除去デバイス１の概略側面図である。
【図１Ｂ】本発明に従った汚れ除去デバイス１及び汚れ除去アクセサリ１７１の内部概略図である。
【図１３】本発明のある実施形態に従った汚れ除去デバイスの様々な概略斜視図である。
【図１４】過酸化ナトリウムからのＨ２Ｏ２の化学的形成を示している。
【図１５】ＴＥＡＤからのペルオキシ酸の化学的形成を示している。
【図１６】ＤＯＢＡからのペルオキシ酸の化学的形成を示している。
【図１８Ａ】本発明に従った汚れ除去アクセサリを備える汚れ除去デバイスの概略的な使用の例示のセットである。
【図１８Ｂ】本発明に従った汚れ除去アクセサリを備える汚れ除去デバイスの概略的な使用の例示のセットである。
【図１８Ｃ】本発明に従った汚れ除去アクセサリを備える汚れ除去デバイスの概略的な使用の例示のセットである。
【図１８Ｄ】本発明に従った汚れ除去アクセサリを備える汚れ除去デバイスの概略的な使用の例示のセットである。
【図１８Ｅ】本発明に従った汚れ除去アクセサリを備える汚れ除去デバイスの概略的な使用の例示のセットである。
【図１８Ｆ】本発明に従った汚れ除去アクセサリを備える汚れ除去デバイスの概略的な使用の例示のセットである。
【図１９】本発明に従った汚れ除去アクセサリの他の実施形態を描写している。
【図２０】本発明に従った汚れ除去アクセサリの他の実施形態を描写している。
【図２１】２つの異なる位置における本発明のある実施形態に従った汚れ除去アクセサリを描写している。
【図２２】本発明に従った汚れ除去アクセサリの代替的な実施形態の例示を描写している。
【図２３】本発明に従った汚れ除去アクセサリの代替的な実施形態の例示を描写している。
【図２４】本発明に従った汚れ除去アクセサリの代替的な実施形態の例示を描写している。
【図３５】本発明に従った汚れ除去アクセサリの他の実施形態の異なる図を描写している。
【図３６】汚れ除去ステップの間に汚れ除去デバイスの前面ヘッドと協働するときの本発明に従った汚れ除去アクセサリを描写している。
【図３７】汚れた領域を濯ぐステップの間に汚れ除去デバイスの前面ヘッドと協働するときの、本発明に従った汚れ除去アクセサリを描写している。
【図３８】汚れ除去ステップの間に汚れ除去デバイス１と協働するときの、本発明に従った汚れ除去アクセサリを描写している。
【図３９】濯ぎ（及び乾燥）ステップの間に汚れ除去デバイスと協働するときの、本発明に従った汚れ除去アクセサリを描写している。
【図４０】各副区画が汚れ除去材料を含む複数の副区画を含む容器を実装する本発明に従った汚れ除去アクセサリを描写している。
【図４１】衣服上の汚れを処理する本発明に従った方法のフローチャートを描写している。
【発明を実施するための形態】
【００１４】
本発明に従った汚れ除去アクセサリ(染み除去アクセサリ)(stain  removal  accessory)は、汚れた領域を処理する汚れ除去デバイス(染み除去デバイス)(stain  removal  device)と協働することが意図されている。汚れ除去デバイスは、衣服全体を洗うことを必要とせずに、衣服上の汚れスポットを局所的に処理するように構成される。汚れ除去デバイスは、以下のステップの統合された機能の任意の組み合わせを有することがある。
１）汚れ除去アクセサリに含まれる汚れ除去材料に供給される水及び／又は蒸気を使用することによって汚れ除去するステップ。
２）汚れ残留物及び化学薬品残留物を洗い流すステップ。
３）衣服の処理領域から水を蒸発させるステップ。
【００１５】
図１Ａは、本発明に従った汚れ除去アクセサリ１７１と協働する汚れ除去デバイス１の概略側面図である。
【００１６】
この脈絡において、本発明に従った汚れ除去アクセサリを「化学漂白剤アプリケータ(chemical  bleach  applicator)」とも呼び得ることに留意のこと。
【００１７】
汚れ除去アクセサリ１７１は、
−  汚れ除去材料３００を収容する容器４００と、
−  容器４００を保持するホルダ６００とを含む。
【００１８】
ホルダ６００を「フレーム(frame)」とも呼び得ることに留意のこと。
【００１９】
汚れ除去アクセサリ１７１は、汚れ除去デバイスと協働するときに、汚れた領域の上に汚れ除去材料３００を放出するように構成される。
【００２０】
好ましくは、容器４００は、使い捨て可能である。
【００２１】
汚れ除去材料３００は、漂白化学薬品に対応する。洗濯物洗浄又は食器洗い製品に使用される汚れ除去材料３００（過炭酸ナトリウム、ＴＡＥＤ、ＤＯＢＡ、ＮＯＢＳなど）の大部分は、固体形態（例えば、粉末、顆粒）にある。汚れ除去材料３００は、Ｈ２Ｏ２又はペルオキシ酸を放出するためにデバイス１によって生成される流体２００中に溶解されることを必要とする。特に、流体２００は、水及び／又は蒸気に対応する。Ｈ２Ｏ２又はペルオキシ酸は、バクテリアを殺し、着色した構造から無色の構造に汚れ分子を酸化することによって、織物(fabric)、ガラス、又はプラスチックのような材料の上の汚れを除去する。
【００２２】
図１４は、過炭酸ナトリウムからのＨ２Ｏ２の化学的形成(chemical  formation)を示している。
【００２３】
図１５は、ＴＡＥＤからのペルオキシ酸の化学的形成を示している。
【００２４】
図１６は、ＤＯＢＡからのペルオキシ酸の化学的形成を示している。
【００２５】
汚れ除去材料３００は、以下を含んでよい。
−  活性酸素源、例えば 過酸化水素（Ｈ２Ｏ２）。過炭酸ナトリウム（Ｎａ２ＣＯ３・１．５Ｈ２Ｏ２）。過ホウ酸ナトリウム（ＮａＢＯ３・Ｈ２Ｏ、又はＮａＢＯ３・４Ｈ２Ｏ）など。
−  好ましくは、（単独で又は組み合わせにおいて取られる）以下の漂白活性化剤のうちのいずれか１つ：
テトラアセチルエチレンジアミン（ＴＥＡＤ）、
４−デカノイルオキシ安息香酸（ＤＯＢＡ）、
ノナノイルオキシベンゼンスルホン酸のナトリウム塩（ＮＯＢＳ）、
３，５，５-トリメチルヘキサノイルオキシフェニルスルホン酸のナトリウム塩（イソ-ＮＯＢＳ）。
アセトキシフェニルスルホン酸ナトリウム
ナトリウムデカノイルオキシベンゼンスルホン酸（ＤＯＢＳ）、
ナトリウムオクタノイルオキシベンゼンスルホン酸（ＯＯＢＳ）、
ＧＯＢＳ、
ノナノイルオキシ安息香酸ナトリウム（ＮＯＢＡ）、
Ｎ，Ｎ−ジアセチルエチレンジアミン、
Ｎ−［４−（トリエチルアンモニオメチル）ベンゾイル］ブチロラクタムクロリド（ＴＢＢＣ）、
トリメチルヘキサノイルオキシベンゼンスルホン酸ナトリウム（ＳＴＨＯＢＳ）、
４−ベンゾイルオキシベンゼンスルホン酸ナトリウム（ＳＢＯＢＳ）、
五酢酸グルコース（ＧＰＡ）、
テトラアセチルグルコリル（ＴＡＧＵ）、
ニトリロ三酢酸（ＮＴＡ）、
遷移金属漂白触媒など。
【００２６】
汚れ除去材料３００は、固体形態（粉末、顆粒）の又は液体形態（この場合、液体は湿ったティッシュ、スポンジ・・・などに保持される）の化学試薬である。
【００２７】
好ましくは、容器４００は、バッグ、パッド、カートリッジ、サシェ、及びカプセルによって定められる形態のうちのいずれかを取る。容器４００は、例えば、密度紙、織物、不織布、多孔質プラスチックなどで作られた、流体透過性の外層を備える、「ティーバッグ」のように見えることがある。
【００２８】
汚れ除去アクセサリ１７１は、汚れ除去デバイス１と協働するときに、汚れた領域１０１の上の汚れ除去材料３００を放出するように構成される。
【００２９】
好ましくは、例示のように、ホルダ６００は、少なくとも部分的に容器４００の周りに配置されたフレーム構造を含む。例えば、フレーム構造は、円形、楕円形、円弧形、三角形、長方形、正方形、半円形又は半楕円形であり得る。
【００３０】
図１Ａの右側の図は、デバイス１と協働するときの汚れ除去アクセサリ１７１の取付けの分解図を示している。
【００３１】
汚れ除去アクセサリ１７１は、デバイス１の（加熱板と一緒に組み合わせられることがある）蒸気排出面(steam  venting  face)に取り付けられることができる。デバイス１は、蒸気発生デバイス、例えば、衣服スチーマに対応することがある。
【００３２】
図１Ｂは、本発明に従った汚れ除去デバイス１及び汚れ除去アクセサリ１７１の内部概略図である。
【００３３】
好ましくは、ガイドヘッド１４が、ホルダ６００に更に組み付けられる。代替的に、ガイドヘッド１４は、デバイス１の前面(front  side)に組み付けられ、ガイドヘッド１４は、汚れ除去アクセサリ１７１を取り囲む。ガイドヘッド１４は、後端インタフェース１５と、前端インタフェース１６とを含んでよい。後端インタフェース１５は、デバイス１によって生成される流体２００を受け取る。前端インタフェース１６は、流体２００を織物上の汚れた領域に面する注ぎ口１７に集める。
【００３４】
液体タンク２が、水を計量分配機構３、例えば、ポンプに供給する。計量分配機構３は、水２００を蒸気エンジン４に供給する。押圧トリガ５が、計量分配機構３を起動（アクティブ化）させることを可能にする。蒸気エンジン４は、蒸気２００をガイドヘッド１４に供給する。加熱板７は、蒸気エンジン４と熱接続するので、加熱板７は、加熱されることができる。
【００３５】
第１の作業機構において、デバイス１によって生成される流体２００は、蒸気であり、容器４００を通過する。次に、容器４００内の漂白固体３００は、蒸気凝縮によって溶解され、汚れた領域の上に運ばれる。
【００３６】
第２の作業機構において、容器４００は、汚れ除去デバイス１によって生成される水（熱湯）２００と共に使用される。この目的を達成するために、水タンク２からの水は、追加的なポンプ（図示せず）によって、デバイス１の前面ヘッド(front  head)に運ばれる。熱湯が生成されることが意図されるならば、加熱要素（図示せず）が実装される。水（熱湯）／蒸気２００は、容器４００を通過し、溶解した漂白溶液３００を汚れた領域の上に運び出す。
【００３７】
第３の作業機構において、汚れ除去材料３００が容器４００内で液体形態の下にあるならば、デバイス１が水及び／又は蒸気を供給する必要はない。汚れ除去アクセサリ１７１を保持するデバイス１の前面ヘッドは、汚れた領域の上に直接的に適用される。
【００３８】
図１３は、本発明に従った織物上の汚れを処理するためにガイドヘッド１４を使用する汚れ除去デバイス１の様々な概略斜視図を示している。
【００３９】
加熱板７にある開口６は、出て行く蒸気２００が一定の速度を有することを可能にするような大きさとされる。この速度は、開口の大きさ及び蒸気率(steam  rate)の関数である。２５グラム／分の蒸気量の場合、最適な開口寸法は、直径６ｍｍである。この組み合わせは、濯ぎを強化する良好な蒸気率及び速度をもたらす。何故ならば、速度は、織物１００の下面と処理面との間で圧力差を生じさせるからである。圧力差は、織物１００を通じて流体２００を押す。比較的低い蒸気率は、大きな液体タンクを必要とせずに、より長い運転も可能にする。
【００４０】
任意的に、蒸気率は、５グラム／分〜１５０グラム／分の間であり得る。開口６の直径は、３ｍｍ〜３０ｍｍの間であり得る。蒸気２００は、（一般的には透明であり、裸眼で想定するのが難しい）純粋な乾いた蒸気２００又は（一般的には白色である）湿った蒸気２００であり得る。湿った蒸気２００（水滴を備える蒸気）がより良好な濯ぎ結果をもたらすが、より湿った織物をもたらすことが観察された。
【００４１】
好ましくは、汚れ除去容器のホルダ６００は、汚れ除去アクセサリ１７１のホルダ６００を汚れ除去デバイス１の挿入スロット１８内に容易に挿入することを可能にする（保持タブとも呼ぶ）ハンドグリップ６０１を含む。
【００４２】
更に、汚れ除去容器４００のホルダ６００は、ホルダ６００がデバイス１に取り付けられときに加熱板７との熱接触を創り出す後部６０２(rear)を含んでよい。
【００４３】
図１８Ａ乃至図１８Ｆは、本発明に従った汚れ除去アクセサリ１７１を備える汚れ除去デバイス１の概略使用の例示のセットである。
【００４４】
デバイス１は、デバイス１の蒸気排出面に取り付けられるガイドヘッド１４を含み、汚れ除去アクセサリ１７１は、例えば、図１８Ａ及び図１８Ｂに例示するように、ガイドヘッドに配置されるスロット１８内に汚れ除去アクセサリ１７１を挿入することによって、ガイドヘッド１４と協働することが意図される。
【００４５】
洗濯物洗浄又は食器洗い製品において使用される漂白剤内容物３００（過炭酸ナトリウム、ＴＡＥＤ、ＤＯＢＡ、ＮＯＢＳなど）の大部分は、固体形態（例えば、粉末、顆粒）にあり、容器４００内に収容される漂白剤固体化学薬品は、Ｈ２Ｏ２又はペルオキシ酸を放出するために、最初に水２００中で溶解されることを必要とする。この目的を達成するために、汚れ除去アクセサリ１７１は、溶解した漂白溶液３００を放出するために、デバイス１に取り付けられる。
【００４６】
図１８Ｃは、汚れ除去プロセスを示している。
【００４７】
汚れ除去材料３００は、容器４００内に予め充填される洗浄剤である。ひとたび水及び／又は蒸気によって溶解されると、汚れ除去材料３００は、織物の汚れた領域１０１上に計量分配されて、汚れ分子と反応し、汚れ分子を溶解し或いは覆う。この目的を達成するために、図１８Ｃに例示するように、デバイス１の前面ヘッドを汚れた領域１０１に密接に接触させることができる。
【００４８】
デバイス１は、化学反応、溶解又は被覆速度を加速するために、汚れた領域１０１に熱を供給してもよい。熱源は、蒸気、伝導、赤外線熱、及びマイクロ波を含むが、これらに限定されない。例えば、加熱板７を用いて伝導によって熱を生成することができる。
【００４９】
汚れ処理プロセスを起動するために、水（及び／又は蒸気）が容器４００を通過できるように、押圧トリガ５を介して濯ぎポンプを（場合によっては反復的に）起動させる。
【００５０】
図１８Ｅは、濯ぎプロセスを示している。この汚れ濯ぎプロセスの主な目的は、次のとおりである。
１）更なる化学反応を防止するために、汚れ除去のステップの後に、化学反応を停止させること。
２）ユーザが衣服を着用するときに起こり得る刺激／アレルギ反応を回避するために、衣服１００から汚れ除去材料及びそれらの副産物を除去すること。
【００５１】
濯ぎに使用される流体２００（即ち、水、蒸気、化学中和剤、又はそれら全ての組み合わせ）が容器４００内に残っている化学薬品によって汚染されないことを保証するために、汚れ除去アクセサリ１７１（又は少なくとも容器４００）は、濯ぎステップを開始する前に、デバイス１から取り外される必要があることに留意のこと。
【００５２】
図１８Ｄは、デバイス１からの汚れ除去アクセサリ１７１及びガイドヘッド１４の取外しを示している。例えば、回転運動を介して、汚れ除去アクセサリ１７１を取り付け／取り外しすることができる。
【００５３】
濯ぎプロセスは、漂白化学薬品の中和又は漂白化学薬品の希釈のいずれかによって達成されることができる。最良の濯ぎ結果を得るために、これらの化学的残留物は、吸収手段（例えば、裏当てパッド、ティッシュ、タオル・・・など）によって或いは機械的な力によって、織物から抽出されるべきである。濯ぎプロセスは、押圧トリガ５によって（場合によっては反復的に）起動されるのが好ましい。
【００５４】
図１８Ｅは、乾燥プロセスを示している。
【００５５】
既に濯いだ織物１００の乾燥は、織物１００による水分の除去に依存する。加熱板７（〜１００−１７０℃）又は加熱空気７（〜６０−１００℃）で直接的に加熱することを通じて水分を蒸発させることができる。
【００５６】
以下では、以下の目的で本発明に従った解決策を開示する。
１．濯ぎのステップの前に、汚れ除去アクセサリ１７１（又は汚れ除去材料３００を含む容器４００）を取り外すステップを省くこと。
２．取り外した汚れ除去アクセサリ１７１（又は容器４００）を配置する空間を節約すること。
【００５７】
図１９及び図２０は、本発明に従った汚れ除去アクセサリ７００の他の実施形態を描写している。
【００５８】
上述の汚れ除去アクセサリ１７１と比較して、汚れ除去アクセサリ７００は、以下のような少なくとも２つの部分を含む。
−  汚れ除去材料３００を含む容器４００を配置する第１の部分７０３。
−  貫通穴７０５を含む第２の部分７０４。
【００５９】
汚れ除去アクセサリは、汚れ除去ステップの間に第１の位置（Ｐ１）を取り、汚れ領域を濯ぐステップの間に第２の位置（Ｐ２）を取るように構成される。
【００６０】
貫通穴７０５は、開放流路に対応する。
【００６１】
例えば、貫通穴７０５は、容器の角度位置に対して異なる角度位置にある。例えば、角度位置の差は、９０度又は１８０度である。
【００６２】
汚れ除去アクセサリ７００は、経路セレクタを形成する。
【００６３】
汚れ除去アクセサリ７００の作業面は、少なくとも２つの部分に分割され、第１の部分７０３は、汚れ除去材料３００を含む容器４００を格納するためにあり、第２の部分７０４は、空である。
【００６４】
汚れ除去アクセサリ７００はた、デバイス１と比較してホルダ６００の位置を変えるための、好ましくは、ハンドグリップ６０１を備える、ホルダ６００も含む。
【００６５】
ホルダ６００を汚れ除去デバイス１の（蒸気排出面を有する）前面ヘッドに取り付けることができる。
【００６６】
汚れ除去材料３００（即ち、洗浄試薬サシェ／カートリッジ）を含む容器４００が使い捨て可能であるならば、容器４００は、ホルダ６００の第１の部分７０３に挿入される一方で、ホルダ６００の第２の部分７０４は、空のままにされる。代替的に、第２の部分７０４は、汚れた領域を濯ぐステップ中に使用される化学中和剤又は芳香剤（或いはその逆もまた同様）を含んでよい。
【００６７】
汚れ除去アクセサリ７００は、汚れ除去デバイスと協働するときに、汚れ処理及び濯ぎのための選択可能な水経路を可能にする。
【００６８】
汚れ除去アクセサリ７００が汚れ除去デバイス１と協働するとき、以下のことが起こる。
−  水２００のような流体は、汚れ除去材料３００を溶解するための汚れ処理プロセス中に容器４００を通過し、溶解した汚れ除去材料３００を汚れた領域上に運ぶ。汚れ除去のこのステップにおいて、汚れ除去アクセサリ７００は、汚れ除去デバイス１と協働するときに、第１の位置（Ｐ１）を取るように構成される。これは図２１の図（ａ）に示されている。
−  水２００のような流体は、濯ぎプロセス中に貫通穴７０５を通過する。汚れた領域を濯ぐこのステップにおいて、汚れ除去アクセサリ７００は、汚れ除去デバイス１と協働するときに、第２の位置（Ｐ２）を取るように構成される。これは図２１の図（ｂ）によって例示されている。
【００６９】
好ましくは、汚れ除去アクセサリ７００は、汚れ除去デバイス１に取り付けられたときに回転可能である。例えば、汚れ除去アクセサリ７００は、ガイドヘッド１４に配置されるスロット１８内で回転可能である。汚れ除去アクセサリ７００を回転させることは、第１の部分７０３がデバイス１によって生成される水及び／又は蒸気２００の流れに面する汚れ除去ステップの間の第１の位置と、第２の部分７０４がデバイス１によって生成される水及び／又は蒸気２００の流れに面する汚れた領域を濯ぐステップの間の第２位置とを提供する。
【００７０】
よって、デバイス１は、例えば、ハンドグリップ６０１を介して、ホルダ６００を第１の方向に回転させること又はホルダ６００を反対方向に回転させることによって、２つの異なる機能を提供することができる。
【００７１】
汚れ除去アクセサリ７００と汚れ除去デバイス１との間の相対的な回転運動の代わりに、以下に記載するようにホルダをひっくり返すこと及びひっくり返さないことのような、汚れ除去ステップと濯ぎステップとの間で流体経路を変更するための他の実行を考えることができる。
【００７２】
図２２、図２３、及び図２４は、本発明のある実施形態に従った汚れ除去アクセサリの代替的な実施形態の例示を描写している。
【００７３】
図２２に例示するように、汚れ除去アクセサリは、デバイス１の前面ヘッドに取り付けることができるフラップフリップピース１９(flap-flip  piece)を定める。
【００７４】
フラップフリップピース１９は、汚れ除去ステップ中に第１の位置（Ｐ１）を取り、濯ぎステップ中に第２の位置（Ｐ２）を取るように構成される。
【００７５】
フラップフリップピース１９は、例えば、軸Ａ−Ａの周りを回転するヒンジ２１によって、汚れ除去デバイス１の蒸気排出面に取り付けられるホルダ６００を含む。ホルダ６００は、上述のよう汚れ除去材料３００を含む容器４００を受けるように構成され、汚れ除去プロセス中に汚れ除去デバイスの本体によって生成される流体（即ち、蒸気及び／又は水）２００の助けを借りて、化学試薬３００を生成するために適用される。
【００７６】
ホルダ６００は、汚れ除去アクセサリ１９が汚れ除去デバイス１に取り付けられるときにホルダ６００の向きを容易に変えるためのハンドグリップ２２２を含んでもよい。
【００７７】
図２３は、フラップフリップピース１９が汚れ除去デバイス１の前面ヘッドに面するときの状況を描写している。この位置（Ｐ１）において、デバイス１によって発生される水及び／又は蒸気は、容器４００を通過する。この位置は、汚れ除去のステップに対応する。
【００７８】
図２４は、フラップフリップピース１９がデバイス１の前面ヘッドに面しない状況を描写している。この位置（Ｐ２）において、デバイス１によって発生される水及び／又は蒸気は、容器４００を通過せず、汚れた領域に直接的に適用されることができる。この位置は、濯ぎステップに対応する。
【００７９】
図３５は、本発明に従った汚れ除去アクセサリ３５０１の他の実施形態の異なる図を描写している。
【００８０】
図（ａ）は、汚れ除去アクセサリ３５０１の三次元図に対応する。
【００８１】
図（ｂ）は、汚れ除去アクセサリ３５０１の頂面図に対応する。
【００８２】
図（ｃ）は、汚れ除去アクセサリ３５０１の断面図に対応する。
【００８３】
汚れ除去アクセサリ３５０１は、上述のような汚れ除去デバイス１のような、衣服上の汚れを処理する汚れ除去デバイスと協働することが意図されている。
【００８４】
汚れ除去アクセサリは、上述のような汚れ除去材料３００を含む容器４００を保持するホルダ６００を含む。
【００８５】
容器４００は、
−  化学剤を溶解するために汚れ除去デバイスから水を受け取り、
−  溶解した汚れ除去材料を衣服上の汚れた領域に亘って広げる、
ように構成される。
【００８６】
汚れ除去アクセサリは、汚れの濯ぎ中に汚れ除去デバイスから水を受け取るための貫通穴７０５も含む。
【００８７】
好ましくは、貫通穴７０５は、容器４００の角度位置に対して異なる角度位置にある。例えば、角度位置の差は、９０度又は１８０度である。
【００８８】
好ましくは、ホルダ６００は、汚れ除去デバイスから汚れた領域に熱を移転するように構成される。
【００８９】
例えば、ホルダ６００は、汚れ除去アクセサリが汚れ除去デバイスによって加熱されて、汚れた領域に熱を移転することを可能にするよう、熱伝導性／誘導性材料で作られる。
例えば、熱伝導性／誘導性材料は、外層３５０２の形態を取る。
【００９０】
好ましくは、汚れ除去アクセサリは、水回路を開閉するために、汚れ除去デバイス内の水流スイッチ３６０１を起動させる物理的要素３５０３を更に含む。例えば、物理的要素３５０３は、突出要素に対応してよい。例えば、スイッチは、バネ荷重スイッチに対応してよい。
バネ荷重水流スイッチ３６０１は、図３６に例示されている。
【００９１】
水流スイッチは、汚れ除去及び濯ぎのステップのいずれかにおいて起動される。何故ならば、それら２つのステップは、水の流れを必要とするからである。
【００９２】
好ましくは、汚れ除去アクセサリは、汚れ除去デバイス上での熱の発生をオンにするために、汚れ除去デバイスによって検出されることができる容量性及び／又は抵抗性要素３５０４を更に含む。例えば、熱の生成は、汚れ除去デバイスの前面ヘッドに配置される加熱板によって遂行される。
【００９３】
好ましくは、汚れ除去アクセサリは、汚れ除去デバイス内に汚れ除去アクセサリを挿入して回転させるために使用される、例えば、延長部分の形態を取る、ハンドグリップ３５０を更に含む。
【００９４】
汚れ除去アクセサリ３５０１は、使い捨て可能であることができ、一回使用のために設計されることができる。その場合、容器４００は、一回限りの汚れ処理を可能にする。
【００９５】
代替的に、容器４００のみが使い捨て可能である。これは、他の容器４００をホルダ６００内に配置した後に、容器４００を保持するホルダ６００を再使用し得ることを意味する。
【００９６】
代替的に、汚れ除去アクセサリ３５０１は、使い捨て可能であることができ、複数の使用のために設計される。この目的を達成するために、汚れ除去アクセサリ３５０１は、複数の副区画(sub-compartments)を含む容器４００を含む。各副区画は、汚れ除去材料を含む容器を保持する。
【００９７】
図４０は、各副区画が汚れ除去材料を含む、複数の副区画を含む、容器を実装する、本発明に従った汚れ除去アクセサリ３５０１を描写している。
【００９８】
汚れ除去アクセサリは、上述のような汚れ除去デバイス（図示せず）の前面ヘッド１４と協働するときに提示される。
【００９９】
この例では、この解決策の記述の簡潔性のために、以下の２つの副区画のみを例示される。
−  汚れ除去材料を含む第１の容器を保持する第１の副区画ＳＣ１。
−  汚れ除去材料を含む第２の容器を保持する第２の副区画ＳＣ２。
【０１００】
より多数の副区画を同様に考慮し得ることに留意のこと。
【０１０１】
図（ａ）において、汚れ除去アクセサリの角度位置は、第１の汚れ処理のために内側にある汚れ除去材料を溶解するために、第１の容器が汚れ除去デバイスから水を受け取ることができるような、角度位置である。
【０１０２】
図（ｂ）において、汚れ除去アクセサリの角度位置は、第１の容器によって以前に処理された汚れた領域を濯ぐために、濯ぎのための貫通穴７０５が汚れ除去デバイスから水を受け取ることができるような、角度位置である。例えば、図（ａ）と比較して反時計回りの回転が施される(operated)。
【０１０３】
図（ｃ）において、汚れ除去アクセサリの角度位置は、第２の汚れ処理のために内側にある汚れ除去材料を溶解するために、第２の容器が汚れ除去デバイスから水を受け取ることができるような、角度位置である。例えば、図（ｂ）と比較して反時計回りの回転が施される。
【０１０４】
より一般的には、汚れ除去アクセサリが専ら複数の汚れを連続して処理するためのものである場合、それぞれが汚れ除去材料を含む複数の容器は、使用されない容器がデバイスの流体流出口の下に位置付けられるよう、汚れ除去アクセサリを動かす（例えば、回転させる）ことによって切り替えられる。
【０１０５】
各容器のためにデバイスの流体流出口との適切な整列並びに濯ぎ穴７０５との適切な整列を可能にするために、（「容器１」を表す「Ｃ１」、「容器２」を表す「Ｃ２」、「濯ぎ」を表す「Ｒ」のような）インジケータＩＮＤが、デバイスヘッド及び汚れ除去アクセサリの両方の上に印刷され或いは刻印されてよい。
【０１０６】
加えて、汚れ除去アクセサリは、汚れ除去アクセサリ及びデバイスヘッドにあるインジケータのそれぞれのペアが整列させられるときに、汚れ除去アクセサリをデバイス内の適切な位置に係止（ロック）する、係止スタッド（ロックスタッド）を含んでよい。
【０１０７】
所与の汚れ除去アクセサリ（１以上の容器）内の副区画の数に拘わらず、汚れ除去ステップの前に、ユーザが汚れ除去アクセサリを使用済みの容器に回転させることを防止するために、各化学副区画の底縁(bottom  rim)は、水又は化学漂白剤との接触後に色が恒久的に変わる塗料で被覆されてよい。
【０１０８】
図３６は、汚れ除去ステップ中に、汚れ除去デバイスの前面ヘッド１４と協働するときの、本発明に従った汚れ除去アクセサリを描写している。
【０１０９】
汚れ除去ステップ中に汚れ除去アクセサリが汚れ除去デバイス内に配置されるときに、以下の３つの事象が同時に起こる。
−  容量性及び／又は抵抗性要素３５０４が汚れ除去デバイス内のセンサと接触し、センサはデバイス内の導電性／誘導性ヒータを起動させる。
−  汚れ除去デバイスの水流スイッチ３６０１は、水流スイッチ３６０１の穴が容器４００と整列させられるように起動される。よって、デバイスからの水は、容器４００を通じて流れることができ、漂白化学溶液を形成するために、汚れ除去化学薬品を溶解する。汚れ除去アクセサリが汚れ除去デバイスに取り付けられている限り、水流スイッチは起動される（例えば、ばねが圧縮され、水流スイッチ３６０１の穴が起動位置に移動される）。
−  ホルダ６００の熱伝導性／誘導性材料は、汚れ除去デバイスに含まれる熱生成器によって加熱される。例えば、熱生成器は、加熱板７に対応する。
【０１１０】
従って、汚れ除去ステップ中に汚れ除去アクセサリが汚れ除去デバイスと協働するときに、汚れ除去アクセサリからの化学溶液を汚れ領域に投与することができる。汚れた領域に投与された化学溶液は、加熱されたホルダ６００によって加熱されるので、加熱された化学溶液は、汚れをより効率的に除去することができる。確かに、漂白化学薬品の水溶解速度は、温度が上昇する間に増加する。よって、蒸気２００又は熱湯２００と接触している間に、Ｈ２Ｏ２又はペルオキシ酸は非常に速く放出される。
【０１１１】
換言すると、熱を使用して化学溶液と汚れとの間の化学反応を促進させる（そして、汚れ処理後の乾燥を促進させる）。汚れ除去ステップが完了した後に、加熱されたホルダ６００を使用して汚れた領域を乾燥させることができる。
【０１１２】
図３７は、汚れた領域を濯ぐステップ中に汚れ除去デバイスの前面ヘッド１４と協働するときの、本発明に従った汚れ除去アクセサリを描写している。
【０１１３】
濯ぎステップ中に汚れ除去アクセサリが汚れ除去デバイス内に配置されるときに、以下の３つの事象が同時に起こる。
−  デバイス内の水流スイッチ３６０１は、スイッチ３６０１内の水流穴が汚れ除去アクセサリの貫通穴７０５と整列させられるように起動され続けるので、汚れ除去デバイスからの水は、汚れ除去アクセサリの穴７０５を通じて流れることができる。投与された水は、衣服から処理汚れ残渣を洗い流すことができる。
−  容量性及び／又は抵抗性要素３５０４は、汚れ除去デバイス内のセンサと接触し続け、センサは、汚れ除去デバイス内の導電性／誘導性ヒータを起動させ続け、その結果、ホルダ６００を加熱される。汚れた領域に伝えられる熱は、第１に、濯ぎ効率を向上させ、第２に、濯ぎ水の流れが停止させられるときに、加熱された汚れ除去アクセサリによって湿った衣服を乾燥されることができる。濯ぎ持続時間は、所要の濯ぎの質に依存して異なる。
【０１１４】
図３８は、汚れ除去ステップ中に汚れ除去デバイス１と協働するときの、本発明に従った汚れ除去アクセサリ３５０１を描写している。
【０１１５】
図３９は、濯ぎ（及び乾燥）ステップ中に汚れ除去デバイスと協働するときの、本発明に従った汚れ除去アクセサリ３５０１を描写している。
【０１１６】
汚れ除去デバイス１は、以下を含む。
−  汚れ除去アクセサリ３５０１のホルダ６００に熱を拡散させるように構成される加熱板７。
−  漂白化学溶解及び汚れ濯ぎの両方に使用される水を保持するための、例えば、取り外し可能な、（再充填可能な）タンク３８０５。
−  タンク３８０５から水を運ぶための（ポンプのような）流体投与システム３８０４及び所要のチューブ。
−  流体投与システム３８０４を起動させる流体投与トリガ３８０３。
−  （加熱板７を汚れ除去処理温度から乾燥温度に切り替える）温度スイッチ３８０６。好ましくは、乾燥ステップ中に、加熱板７は、６０℃〜１７０℃の間の温度を有するべきである。任意的に、乾燥のために６０℃を超える熱風が使用されてもよい。
−  上述のような水流スイッチ３６０１。流体の流れは、漂白化学溶液（水及び溶解した化学薬品の溶液）又は濯ぎ水のいずれかであってよい。
−  汚れ除去アクセサリ３５０１を取り付ける取付け手段（例えば、係止スタッド）。
【０１１７】
任意的に、汚れ除去デバイスは、濯ぎステップ中に使用される化学中和剤を収容する液体タンク（図示せず）を更に含む。
【０１１８】
好ましくは、化学中和剤は、以下のいずれか１つの中から選択される。
−  弱酸様クエン酸及び／又はクエン酸ナトリウム。
−  弱アルカリ性炭酸ナトリウム及び／又は重炭酸ナトリウム。
−  還元剤。
【０１１９】
汚れ除去アクセサリの位置に依存して、流体流路Ｆ１は、水−化学薬品混成流路又は水流路のいずれかであることができる
−  汚れ除去ステップ中に汚れ除去アクセサリが位置決めされるときに、水は、汚れ除去材料を溶解して漂白化学溶液を形成するために、水タンクから汚れ除去アクセサリの容器４００に流れる。この状況は図３８に例示されている。
−  汚れた領域を濯ぐステップ中に汚れ除去アクセサリが位置決めされるときに、水は、水タンクから汚れ除去アクセサリの貫通穴７０５に流れる。この状況は図３９に例示されている。
【０１２０】
汚れ除去デバイスと協働するときに一回限り使用の容器のみを有する本発明に従った汚れ除去アクセサリの使用例は、以下の通りである。
【０１２１】
１．（図３６に示すように）汚れ除去アクセサリの中央突起（物理的な要素）を汚れ除去デバイスの前面ヘッドに設けられた対応する中央の穴に差し込む。汚れ除去アクセサリの物理的要素は溝に滑り込み、汚れ除去デバイスの水流スイッチを押して、水回路が開放されることを可能にする。同時に、容量性及び／又は抵抗性要素３５０４は、汚れ除去デバイス内のセンサと接触する。次に、センサは、汚れ除去デバイス内の導電性／誘導性ヒータを起動させて、例えば、加熱板７を加熱する。
【０１２２】
２．汚れ除去アクセサリを（時計回りに）９０度回転させて、汚れ除去モードに対応する位置に到達させる。この位置において、汚れ除去アクセサリ内の容器４００は水路内にある、即ち、汚れ除去デバイス内の水出口穴と整列させられる。よって、ユーザは、水が容器４００を通じて流れるよう、ポンプトリガを押すことができる。
【０１２３】
３．汚れ除去アクセサリのホルダ６００を、汚れ除去デバイス内のヒータ、例えば、加熱板７によって加熱し、汚れた領域への熱移転を可能にする。
【０１２４】
４．汚れ除去デバイス内の水流及びヒータの起動、汚れ除去デバイスの水穴との容器の整列、並びに汚れ除去アクセサリによる汚れた領域への熱移転は、ユーザが汚れ除去ステップを行うことを可能にする。
【０１２５】
５．汚れ除去処理の後に、汚れ除去アクセサリを反時計回りに１８０度回転させて、濯ぎ/乾燥モードに入る。この位置において、偏心円形穴は、汚れ除去デバイスの水穴と一致することで、（化学薬品を伴わない）水が処理された汚れた領域に適用されることを可能にする。この規定された開口サイズ及び蒸気速度では濯ぎ持続時間が少なくとも１０秒でなければならないことが観察された。本発明のそのようなデバイス１について、濯ぎ持続時間は、少なくとも３秒でなければならない。濯ぎ流体投与量は、５グラム／分〜１５０グラム／分の間であることができる。
【０１２６】
６．乾燥モードでは、汚れ除去デバイスにあるスイッチは、より良好な乾燥効果のために汚れ除去アクセサリをより高い温度に加熱するためにヒータ電力を増加させるよう、ユーザ起動される。任意的に、デバイスは２つの温度設定を可能にし、それは異なる織物タイプを処理するのに有益である。例えば、繊細な織物は、乾燥のためにより低い温度を必要とする一方で、通常の織物は、より速い乾燥のためにより高い温度に耐えることができる。代替的に、乾燥は、熱風、放射(radiation)、動いている空気又は真空抽出のような、熱又は空気移動をもたらす他の手段によって達成されてよい。
【０１２７】
７．最後に、汚れ除去アクセサリを時計回りに９０度回転させて中央位置まで戻して、汚れ除去デバイスから汚れ除去アクセサリを取り出す(eject)。
【０１２８】
織物上の汚れを除去するための本発明の汚れ除去デバイス１は携帯可能であり、電力コードを有してよく或いはコードレスでよい。
【０１２９】
この目的を達成するために、汚れ除去デバイスのための電源を（電力コードで）動作中の家庭用電源に接続することができ或いはエネルギアキュムレータ（コードレス）に接続することができる。
【０１３０】
エネルギアキュムレータは、蓄電池又はコンデンサベースの蓄電器(storage)( 図示せず)であることができる。このコードレスタイプの実施において、汚れ除去デバイス１を自宅で充電することができるが、オフィス、レストランなどのような、他の場所で使用することができ、或いは旅行のために持ち出すことができる。
【０１３１】
図４１は、衣服上の汚れを処理する本発明に従った方法のフローチャートを描写している。
【０１３２】
方法は、以下のステップを含む。
−  前述のような汚れ除去アクセサリ１を前述のような汚れ除去デバイス１に連結するステップ（４１０１）。
−  容器内の汚れ除去材料を水で溶解するステップ（４１０２）。
−  衣服上の汚れた領域に亘って溶解した汚れ除去材料を塗布するステップ（４１０３）。
−  一定の持続時間に亘って汚れた領域を加熱するステップ（４１０４）。
【０１３３】
好ましくは、方法は、以下のステップを更に含む。
−  汚れ除去アクセサリを濯ぎ位置に到達するように位置決めするステップ（４１０５）。
−  濯ぎのために汚れに亘って一定量の水を投与するステップ（４１０６）。
−  乾燥のために汚れを加熱するステップ（４１０７）。
【０１３４】
汚れ除去アクセサリの容器が複数の副区画を含む場合、方法は、以下のステップを更に含む。
−  汚れ除去材料が汚れ処理に以前に使用されていない副区画の位置に達するよう、汚れ除去アクセサリを位置決めするステップ（４１０８）。然る後、方法は、溶解するステップ４１０２から継続する。
【０１３５】
記載した上記実施形態は、例示的であるに過ぎず、本発明の技術的アプローチを限定することを意図しない。を好ましい実施形態を参照して本発明を詳細に記載するが、当業者は、本発明の請求項の保護範囲を逸脱せずに本発明の技術的アプローチを修正し或いは均等に変更できることを理解するであろう。請求項において、「含む」という単語は、他の要素又はステップを排除せず、単数形の表現は、複数を排除しない。請求項中の如何なる参照符号も、それらの範囲を限定するものとして解釈されてならない。
【図１Ａ】
2019535369.tif 000003
【図１Ｂ】
2019535369.tif 000004
【図１３】
2019535369.tif 000005
【図１４】
2019535369.tif 000006
【図１５】
2019535369.tif 000007
【図１６】
2019535369.tif 000008
【図１８Ａ】
2019535369.tif 000009
【図１８Ｂ】
2019535369.tif 000010
【図１８Ｃ】
2019535369.tif 000011
【図１８Ｄ】
2019535369.tif 000012
【図１８Ｅ】
2019535369.tif 000013
【図１８Ｆ】
2019535369.tif 000014
【図１９】
2019535369.tif 000015
【図２０】
2019535369.tif 000016
【図２１（ａ）】
2019535369.tif 000017
【図２１（ｂ）】
2019535369.tif 000018
【図２２】
2019535369.tif 000019
【図２３】
2019535369.tif 000020
【図２４】
2019535369.tif 000021
【図３５（ａ）】
2019535369.tif 000022
【図３５（ｂ）】
2019535369.tif 000023
【図３５（ｃ）】
2019535369.tif 000024
【図３６】
2019535369.tif 000025
【図３７】
2019535369.tif 000026
【図３８】
2019535369.tif 000027
【図３９】
2019535369.tif 000028
【図４０（ａ）】
2019535369.tif 000029
【図４０（ｂ）】
2019535369.tif 000030
【図４０（ｃ）】
2019535369.tif 000031
【図４１】
2019535369.tif 000032
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
汚れた領域を処理するために汚れ除去デバイスと協働する汚れ除去アクセサリであって、
汚れ除去材料を収容する透過性の容器と、
該容器を保持するホルダとを含み、
前記汚れ除去デバイスと協働するときに、前記汚れた領域の上に前記汚れ除去材料を放出するように構成され、
当該汚れ除去アクセサリは、汚れを除去するステップの間に第１の位置を取り、前記汚れた領域を濯ぐステップの間に第２の位置を取る、ように構成される、フラップフリップデバイスを定めることを特徴とする、
汚れ除去アクセサリ。
【請求項２】
汚れた領域を処理するために汚れ除去デバイスと協働する汚れ除去アクセサリであって、
汚れ除去材料を収容する透過性の容器と、
該容器を保持するホルダとを含み、
前記汚れ除去デバイスと協働するときに、前記汚れた領域の上に前記汚れ除去材料を放出するように構成され、
当該汚れ除去アクセサリは、
前記汚れ除去材料を収容する前記容器を配置するための第１の部分と、
貫通穴を含む第２の部分とを含み、
当該汚れ除去アクセサリは、前記汚れを除去するステップの間に第１の位置を取り、前記汚れた領域を濯ぐステップの間に第２の位置を取る、ように構成されることを特徴とする、
汚れ除去アクセサリ。
【請求項３】
前記ホルダは、前記汚れ除去デバイスからの熱を前記汚れた領域に移転するように構成される、請求項２に記載の汚れ除去アクセサリ。
【請求項４】
水回路を開閉するために、前記汚れ除去デバイス内の水流スイッチを起動させる物理的要素を更に含む、請求項２に記載の汚れ除去アクセサリ。
【請求項５】
前記汚れ除去デバイスでの熱の生成をオンにするよう前記汚れ除去デバイスによって検出することができる容量性及び／又は抵抗性要素を更に含む、請求項２に記載の汚れ除去アクセサリ。
【請求項６】
前記容器は、複数の副区画を含み、各副区画は、汚れ除去材料を含む、請求項２乃至５のうちのいずれか１項に記載の汚れ除去アクセサリ。
【請求項７】
当該汚れ除去アクセサリは、前記第１の位置及び前記第２の位置を取るよう回転可能である、請求項２乃至６のうちのいずれか１項に記載の汚れ除去アクセサリ。
【請求項８】
前記ホルダは、少なくとも部分的に前記容器の周りに配置されるフレーム構造を含む、請求項１乃至７のうちのいずれか１項に記載の汚れ除去アクセサリ。
【請求項９】
前記ホルダは、ハンドグリップを含む、請求項１乃至８のうちのいずれか１項に記載の汚れ除去アクセサリ。
【請求項１０】
請求項１乃至９のうちのいずれか１項に記載の汚れ除去アクセサリを受けるように構成される、汚れ除去デバイス。
【請求項１１】
前記手段は、以下の構成、即ち、
−  前記汚れ除去材料を溶解するために並びに／或いは汚れが除去された後に前記汚れた領域を濯ぐために前記汚れ除去アクセサリに水を供給するためのタンク、
−  前記容器を通じる水の流れを可能にするよう、前記汚れ除去アクセサリが前記汚れ除去デバイスに連結されていることを検出するセンサ、
−  前記汚れ除去アクセサリを加熱する伝導性／誘導性の熱生成器、並びに
−  ユーザ行為なしに前記熱生成器を自動的にオンにするよう、前記汚れ除去アクセサリの前記容量性及び／又は抵抗性要素との接触を検出するセンサ
のうちのいずれか１つを含む、
請求項１０に記載の汚れ除去デバイス。
【請求項１２】
化学中和剤を収容する液体タンクを更に含む、請求項１０又は１１に記載の汚れ除去デバイス。
【請求項１３】
請求項１、２又は１１に記載の汚れ除去アクセサリ及び汚れ除去デバイスによって衣服の上の汚れを処理する方法であって、
前記汚れ除去アセンブリを前記汚れ除去デバイスに連結するステップと、
前記容器中の前記汚れ除去材料を水で溶解するステップと、
該溶解させられた汚れ除去物質を前記衣服の上の前記汚れた領域に塗布するステップと、
一定の持続時間に亘って前記汚れた領域を加熱するステップとを含む、
方法。
【請求項１４】
濯ぎ位置に達するよう前記汚れ除去アクセサリを位置決めするステップと、
濯ぎのために前記汚れに亘って一定量の水を投与するステップと、
乾燥のために前記汚れを加熱するステップとを更に含む、
請求項１３に記載の方法。
【手続補正２】
【補正対象書類名】明細書
【補正対象項目名】０００３
【補正方法】変更
【補正の内容】
【０００３】
それらの既知の解決策は、ユーザにとって便利でなく、幾つかのリスクを伴う、液体漂白化学薬品で容器を充填する必要をしばしば暗示する。
特開２０１６−０６５５２７号公報は、表面を撃つように構成される振動ヘッドと、流体容器と、流体容器から振動ヘッドに流体を提供するための供給チャネルとを有する、汚れ除去デバイスを開示している。
米国特許第２，９８７，９０６号明細書は、消火プロセスによって織物から汚れを除去する際の使用のための汚れ除去デバイスを開示している。
米国特許出願公開第２００８／０２２２８１７号明細書は、２つの主要構成部品を利用して汚れを除去し得る汚れ除去システムを開示している。
【国際調査報告】
2019535369.tif 000033
2019535369.tif 000034